(57)【要約】      （修正有）【課題】プローブの着脱作業が容易であること、プローブが確実に取り付けられること、コリメータによる測定時にも使用可能なこと、コンパクトで軽量なこと、安価であること等の種々の特徴を有する放射線計測用補助具を提供する。【解決手段】放射線計測用補助具１は、測定地点Ｑの放射線量を計測するプローブＰを、測定地点から離れた所定の離隔位置に配置するための放射線計測用補助具１であり、当該放射線計測用補助具１は、伸縮自在な棒状のロッド部材３の先端部側に、プローブＰを取り付ける第１ホルダー２Ａを備え、この第１ホルダー２Ａは、プローブＰを測定地点Ｑから略１ｃｍ離れた位置に保持する。【選択図】図１
0003210854.tif 000002
【実用新案登録請求の範囲】
【請求項１】
測定地点の放射線量を計測するプローブを、測定地点における所定の高さに配置するための放射線計測用補助具であり、
当該放射線計測用補助具は、伸縮自在な棒状のロッド部材の先端部側に、プローブを取り付ける第１ホルダーを備え、この第１ホルダーは、プローブを測定地点の高さ１ｃｍの位置に保持することを特徴とする放射線計測用補助具。
【請求項２】
ロッド部材は、先端部側の第１ホルダーの位置から略１ｍの長さを有し、ロッド部材を反転させてロッド部材の基端部を測定地点に宛がうことで、第１ホルダーに取り付けているプローブを測定地点の高さ１ｍの位置に保持する請求項１に記載の放射線計測用補助具。
【請求項３】
伸縮自在な棒状のロッド部材の基端部側に、プローブを取り付ける第２ホルダーを備え、この第２ホルダーは、プローブを測定地点の高さ１ｍの位置に保持する請求項１に記載の放射線計測用補助具。
【請求項４】
第１ホルダーは、プローブを挟み込むようにして保持するＣリング状の筒枠により構成され、筒枠の切れ目側が測定地点に当接することにより、プローブを測定地点の高さ１ｃｍの位置に保持する請求項１又は２に記載の放射線計測用補助具。
【請求項５】
第１ホルダーは、ロッド部材の先端部側において、ロッド部材の側面に取り付けられており、ロッド部材に対する取付角度が調節可能である請求項１又は２に記載の放射線計測用補助具。
【請求項６】
第２ホルダーは、プローブを挟み込むようにして保持するＣリング状の筒枠により構成され、ロッド部材の基端部側の側面において、ロッド部材に直交するように取り付けられている請求項３に記載の放射線計測用補助具。
【請求項７】
第１ホルダー及び第２ホルダーは、Ｃリング状の筒枠の内周面に、プローブの抜け落ちを防止する滑り止め部材を備えている請求項１乃至６のいずれかに記載の放射線計測用補助具。
【考案の詳細な説明】
【技術分野】
【０００１】
本考案は、シンチレーション式の放射線計測器を用いて放射線源の線量を計測するときに使用される、軽量で可搬性を有する放射線計測用補助具に関するものである。
【背景技術】
【０００２】
放射線測定時（空間１ｍ・表面１ｃｍ）に使用するシンチレーションサーベイメータ（以下「シンチ」と称す）は、測定値の正確性を高めるため、従来より、測定高さを均一にする様々な工夫が試されている。
【０００３】
現在では、主にスチールパイプを利用し、１ｍの高さ部分にナイロン製テープでシンチ測定部（プローブ）を固定して測定を行っている。
【０００４】
そして、上記のようなシンチ式の放射線計測器Ｐ（以下「プローブ」と称す）を用いて、例えば、ベータ線やガンマ線等の放射線の発生源からの線量を計測する場合、測定地点Ｑの異なる高さ位置における線量を同時に取得するために、まず、計測員ＲがプローブＰを手に持って立ったままの姿勢で、図１１（ｂ）に示すように、計測員Ｒの腰の高さ位置である１ｍの高さの線量を計測し、次に、図１０（ｂ）に示すように、そのまましゃがんで、地表面近傍の位置である、測定地点Ｑの１ｃｍの高さの線量を計測している。
【０００５】
尚、プローブＰは導電線Ｔを介して、把持部を有するハンディタイプのメータＭ（カウンタ）に接続されている。
【０００６】
一般的に、放射線は、地表面に近くなる程高い値を示す。
【０００７】
そのため、例えば、図１０（ｂ）に示すように、測定地点Ｑが床面等の下方位置にあって、計測員ＲはプローブＰを手に持ったまましゃがんで、測定地点Ｑから１ｃｍの高さ位置で計測する場合、通常の高さで歩いているとき（立っているとき）よりも線源に近いので「被ばく」する確率が高い。
【０００８】
また、図１２（ｂ）に示すように、放射線の入射方向を制限し、測定したい地点以外の周辺の線量を拾わないようにするために、鉛製の遮蔽筒体であるコリメータ３０で遮薇しながら計測する場合も、同様に線源に近いので「被ばく」する確率が高い。
【０００９】
しかも、計測員Ｒは各位置での測定の度に立ったりしゃがんだりして、非常に面倒な作業となり、腰にも負担が掛かる。
【００１０】
そこで、従来においては、異なる高さ位置における環境放射線量および位置情報を同時に取得する手法として、特許文献１に示すように、所定長を有する伸縮可能なロッドと、ロッド周りに回転自在に支持され、ロッドの先端側から１ｃｍ離隔した位置、５０ｃｍ離隔した位置、１００ｃｍ離隔した位置に各々配置された３個の放射線検出器と、ロッドの末端側に配置された位置情報システム（ＧＰＳ）と、放射線検出器と位置情報システムからの測定データを表示する表示出力部を備えた無線出力部とから構成した可搬型放射線測定装置が開示されている。
【００１１】
また、特許文献２に示すように、衛星から放射された電波を受信するアンテナと、アンテナによって受信された電波の信号を処理する受信機と、コンピュータ、表示装置、入力装置及び記憶部を有したナビゲーション装置とを備えた計測ポールに沿って３つの空間線量率測定計が下端から１ｃｍ、５０ｃｍ、１ｍの高さに配列され、計測員が計測ポールを測定箇所に立てて、測定作業を行うことで、その測定箇所の異なる高さの空間線量率を同時に測定する空間線量率測定装置が開示されている。
【先行技術文献】
【特許文献】
【００１２】
【特許文献１】特開２０１４−２０９１１８号公報
【特許文献２】特許第５９８１２９９号公報
【考案の概要】
【考案が解決しようとする課題】
【００１３】
上記したスチールパイプの１ｍの高さ部分にナイロン製テープでシンチ測定部（プローブ）を固定して測定を行う場合では、測定現場において測定器の取り付け・取り外し作業を毎回行う必要があるため、準備乃至片付け迄に時間を要し、作業効率が悪くなっていた。
【００１４】
また、上記した特許文献１及び特許文献２は、両者ともにコンピュータで空間線量率の測定点を記録するものであるが、本件は、このようなコンピュータによる測定記録システムによって考案が特定されるものではなく、既存のシンチ等の１つのプローブでもって２つの高さの空間線量率を容易に測定できることで、軽量で、しかも可搬性を有すること特徴を有している。
【００１５】
すなわち、上記した特許文献１では、ロッドに沿って３個の放射線検出器が配置され、ロッドの末端側に位置情報システム（ＧＰＳ）や無線出力部が配置されていることから、装置全体が重量性を有するものとなり、持ち運びが非常に不便である。
【００１６】
しかも、ロッド先端の放射線検出器は平型形状の高性能ＧＭ管を使用していることから、コリメータで遮薇しながら計測する場合、このような形状の放射線検出器をコリメータに挿入することは不可能である。
【００１７】
また、上記した特許文献２では、計測ポールに沿って離間配列された３つの空間線量率測定計に加えて、計測ポールの上端側には、水準器、通信機、衛星航法システム用受信機、アンテナそれぞれが配置されていることから、上記した特許文献１と同様に、装置全体が重量性を有するものとなり、持ち運びが非常に不便である。
【００１８】
しかも、空間線量率測定計に利用される放射線センサは、エネルギー補正済みＰＩＮダイオードのＣｓＩ（ヨウ化セシウム）シンチであることから、コリメータで遮薇しながら計測する場合、このような形状の放射線センサを遮蔽筒体に挿入することは不可能である。
【００１９】
そこで、本考案は、如上のような従来存した諸事情に鑑み創出されたもので、プローブの着脱作業が容易であること（短時間で可能なこと）、プローブが確実に取り付けられること（脱落しないこと）、コリメータ（円筒型の遮蔽筒体）による測定時にも使用可能なこと、コンパクトで軽量なこと（測定時の負担軽減）、安価であること（汎用品で作成可能なこと）等の種々の特徴を有し、また、既存のシンチ等の１つのプローブで２つの高さの空間線量率を容易に測定でき、さらに、コリメータで遮薇しながら計測する場合でも、プローブを任意の角度を付与してコリメータに挿入し計測することができる、放射線計測用補助具を提供することを目的とする。
【課題を解決するための手段】
【００２０】
本考案に係る請求項１の考案は、測定地点の放射線量を計測するプローブを、測定地点における所定の高さに配置するための放射線計測用補助具であり、
当該放射線計測用補助具は、伸縮自在な棒状のロッド部材の先端部側に、プローブを取り付ける第１ホルダーを備え、この第１ホルダーは、プローブを測定地点における１ｃｍの高さに保持することで、上述した課題を解決した。
【００２１】
この請求項１に係る放射線計測用補助具によれば、軽量でしかも可搬性に富むものとなり、既存のシンチ等の１つのプローブで測定地点における高さ１ｃｍの位置での空間線量率を、容易且つ正確に測定することができる。
【００２２】
本考案に係る請求項２の考案は、ロッド部材は、先端部側の第１ホルダーの位置から略１ｍの長さを有し、ロッド部材を反転させてロッド部材の基端部を測定地点に宛がうことで、第１ホルダーに取り付けているプローブを測定地点における１ｍの高さに保持することで、同じく、上述した課題を解決した。
【００２３】
この請求項２に係る放射線計測用補助具によれば、ロッド部材を反転させるだけで、下方に位置する測定地点における高さ１ｍの位置での空間線量率を、容易且つ正確に計測することができる。因みに、雨樋や軒下を計測するときには、ロッド部材を反転して、地上より届く範囲で計測することができる。
【００２４】
本考案に係る請求項３の考案は、伸縮自在な棒状のロッド部材の基端部側に、プローブを取り付ける第２ホルダーを備え、この第２ホルダーは、プローブを測定地点における高さ１ｍの位置で第一ホルダーと同一方向に保持することで、同じく、上述した課題を解決した。
【００２５】
この請求項３に係る放射線計測用補助具によれば、ロッド部材の先端部側を測定地点に宛がうだけで、測定地点における高さ１ｍの位置での空間線量率を、容易且つ正確に計測することができる。
【００２６】
本考案に係る請求項４の考案は、第１ホルダーは、プローブを挟み込むようにして保持するＣリング状の筒枠により構成され、筒枠の切れ目側が測定地点に当接することにより、プローブを測定地点の高さ１ｃｍの位置に保持することで、同じく、上述した課題を解決した。
【００２７】
この請求項４に係る放射線計測用補助具によれば、第１ホルダーに対するプローブの脱着が容易となり、筒枠の切れ目によって、測定地点の高さ１ｃｍの保持が確実に行える。
【００２８】
本考案に係る請求項５の考案は、第１ホルダーは、ロッド部材の先端部側において、ロッド部材の側面に取り付けられており、ロッド部材に対する取付角度が調節可能であることで、同じく、上述した課題を解決した。
【００２９】
この請求項５に係る放射線計測用補助具によれば、コリメータで遮薇しながら計測する場合、プローブを任意の角度を付与することで、遮蔽筒体内に容易に挿入することができ、コリメータ内部での線量を計測することができる。
【００３０】
本考案に係る請求項６の考案は、第２ホルダーは、プローブを挟み込むようにして保持するＣリング状の筒枠により構成され、ロッド部材の基端部側の側面において、ロッド部材に直交するように取り付けられていることで、同じく、上述した課題を解決した。
【００３１】
この請求項６に係る放射線計測用補助具によれば、第２ホルダーに対するプローブの脱着が容易となり、測定地点の高さ１ｍの位置にて水平状態に保持することができる。
【００３２】
本考案に係る請求項７の考案は、第１ホルダー及び第２ホルダーは、Ｃリング状の筒枠の内周面に、プローブの抜け落ちを防止する滑り止め部材を備えていることで、同じく、上述した課題を解決した。
【００３３】
この請求項７に係る放射線計測用補助具によれば、ロッド部材の計測中又は搬送中において、第１ホルダー及び第２ホルダーからのプローブの脱落を未然に防止することができる。
【考案の効果】
【００３４】
本考案に係る放射線計測用補助具は、プローブの着脱作業が容易であること（短時間で可能なこと）、プローブが確実に取り付けられること（脱落しないこと）、コリメータ（円筒型の遮蔽筒体）による測定時にも使用可能なこと、コンパクトで軽量なこと（測定時の負担軽減）、安価であること（汎用品で作成可能なこと）等の種々の特徴を有し、また、既存のシンチ等の１つのプローブで２つの高さの空間線量率を容易に測定でき、さらに、コリメータで遮薇しながら計測する場合でも、プローブに任意の角度を付与して遮蔽筒体に挿入し計測することができる。
【００３５】
具体的には、プローブの着脱作業が容易であり、従来の作業時間よりも６分の１に短縮できる。
【００３６】
また、Ｓパッカーと称する第１ホルダーでホールドし、ゴムバンドで捕縛するダブルロック機能のため、プローブの確実な固定が可能である。
【００３７】
さらに、第１ホルダー（Ｓパッカー）とロッド部材との接合部は角度が自由に変えられるため、コリメータを使用した測定時にも、着脱せずにそのまま使用が可能となる。
【００３８】
また、従来型の放射線計測用補助具が重量性を有するものであるのに対し、本考案による放射線計測用補助具では、約２８０ｇ程度の重さとなり、長時間作業時における作業員の負担を低減できる。また、本考案による放射線計測用補助具は、耐久性能も十分に備えている。
【図面の簡単な説明】
【００３９】
【図１】本考案の使用状態の概略を示すもので、（ａ）は全体斜視図、（ｂ）は先端側要部の側面図である。
【図２】ロッド部材の先端側の第１ホルダーからプローブを外した状態の斜視図である。
【図３】同じくロッド部材を示すもので、（ａ）は平面図、（ｂ）は左側面図、（ｃ）は正面図、（ｄ）は右側面図、（ｅ）は底面図である。
【図４】ロッド部材の先端側の第１ホルダーにプローブを取り付けた状態を示す要部の斜視図である。
【図５】ロッド部材の先端側の第１ホルダーにプローブを取り付ける前の状態を示す要部の斜視図である。
【図６】ロッド部材の先端側の第１ホルダーを傾けた状態の要部の斜視図である。
【図７】ロッド部材の末端側の第２ホルダーにプローブを取り付けた状態を示す斜視図である。
【図８】ロッド部材の末端側の第２ホルダー周辺を示す要部の斜視図である。
【図９】ロッド部材の先端側の第１ホルダーにプローブを取り付け、さらにロッド部材の末端側の第２ホルダーにプローブを取り付けた状態を示す全体斜視図である。
【図１０】測定地点の１ｃｍ高さの空間線量率を計測する一例を示し、（ａ）は本考案による作業状態を示す斜視図、（ｂ）は従来の作業状態を示す斜視図である。
【図１１】測定地点の１ｍ高さの空間線量率を計測する一例を示し、（ａ）は本考案による作業状態を示す斜視図、（ｂ）は従来の作業状態を示す斜視図である。
【図１２】コリメータ等の遮蔽筒体を使用しての測定地点の１ｃｍ高さの空間線量率を計測する一例を示し、（ａ）は本考案による作業状態を示す斜視図、（ｂ）は従来の作業状態を示す斜視図である。
【図１３】ロッド部材を反転させて、第１ホルダーのプローブによって高さ１ｍの空間線量率を計測する一例を示す斜視図である。
【図１４】ロッド部材を反転させて、上方部の線量を第１ホルダーのプローブによって計測する一例を示す斜視図である。
【図１５】導電線を介して取っ手の付いたハンディタイプのメータ（カウンタ）に接続されているプローブを示す斜視図である。
【図１６】本考案に使用されるコリメータの斜視図である。
【考案を実施するための形態】
【００４０】
以下に、図面を参照して、本考案の一実施の形態について説明する。
【００４１】
＜実施の形態＞
本考案に係る放射線計測用補助具１は、図１、図２、図３に示すように、測定地点Ｑの放射線量を計測するプローブＰを、当該測定地点における所定の高さで保持するために使用するものであり、放射線計測用補助具１の先端部側に、測定地点Ｑに宛がう第１ホルダー２Ａを備え、且つ、その基端部側に、第２ホルダー２Ｂを備えた、伸縮自在な棒状のロッド部材３から構成されている。
【００４２】
そして、前記第１ホルダー２Ａは、プローブＰを測定地点Ｑにおける１ｃｍの高さに保持可能にし、前記第２ホルダー２Ｂは、プローブＰを測定地点Ｑにおける１ｍの高さに保持可能にしている。
【００４３】
プローブＰは、図１５に示すように、円柱形状に形成されており、導電線Ｔを介して、上面表示側に把持部Ｈを有するハンディタイプのメータＭ（カウンタ）に接続されている。
【００４４】
第１ホルダー２Ａ及び第２ホルダー２Ｂは、図４乃至図９に示すように、共にプローブＰを挟み込むように保持するＣリング状の筒枠２０によって形成されており、図１（ｂ）に示すように、第１ホルダー２Ａは、このＣリング状の筒枠２０の切れ目２１側が測定地点Ｑに当接することで、プローブＰは測定地点Ｑにおける高さ１ｃｍの位置に保持される。
【００４５】
また、第１ホルダー２Ａは、ロッド部材３の先端部側において、ロッド部材３の側面に取り付けられており、ロッド部材３に対する取付角度が調節可能である。この詳細な構成については、後述する（図６参照）。
【００４６】
図７、図８、図９に示すように、第２ホルダー２Ｂは、Ｃリング状の筒枠２０の切れ目２１側が上方に向けられた状態でロッド部材３の基端部側の側面において、ロッド部材３に直交するように取り付けられ、プローブＰを測定地点Ｑにおいて高さ１ｍの位置に保持可能にしている。
【００４７】
図５、図６、図８に示すように、第１ホルダー２Ａ及び第２ホルダー２ＢのＣリング状の筒枠２０の内周面には、プローブＰの抜け落ちを防止する滑り止め部材Ｓを付設してある。また、上記した円柱状のプローブＰは、その先端側の放射線入射端面側が長目に突き出るように、その後端側が第１ホルダー２Ａ又は第２ホルダー２Ｂに保持される。
【００４８】
図１乃至図３に示すように、ロッド部材３は、先端側に前記第１ホルダー２Ａを取り付けている先端ポール３Ａと、中間ポール３Ｂと、基端側に前記第２ホルダー２Ｂを取り付けている末端ポール３Ｃと、により構成されている。
【００４９】
そして、これらのポールが２つの締付リング４Ａ、４Ｂを介して連結されていることで、ロッド部材３自体が伸縮自在となっている。また、図６に示すように、第１ホルダー２Ａの筒枠２０はロッド部材３（先端ポール３Ａ）の長手方向に対して、ネジ８を軸として任意の傾き角度に自在に変えられるものとなっている。尚、緩み防止の観点から、蝶ナット９にはダブルナット等を施しても良い。
【００５０】
さらに、図４及び図５に示すように、ゴムバンド１０の一端側が支持片５Ａに掛架され、第１ホルダー２Ａの筒枠２０を巻き込んでから、他端側が蝶ナット９に掛架されることで、支持片５Ａに対する第１ホルダー２Ａの筒枠２０の保持を確実なものとしている。
【００５１】
尚、第１ホルダー２Ａがロッド部材３（先端ポール３Ａ）の長手方向に対して、ネジ８を軸として任意の傾き角度にする場合には、このゴムバンド１０は外さずに、つまりゴムバンド１０で第１ホルダー２Ａを保持したままで、角度が自在に変えられるものとなっている。
【００５２】
図７乃至図９に示すように、末端ポール３Ｃの基端側、すなわち図８中のロッド部材３の上部側には、略Ω形状の保持枠１１が宛がわれ、反対側から第２ホルダー２Ｂの筒枠２０が宛がわれて、ロッド部材３の上部側が保持枠１１と筒枠２０とによって挟持される。そして、第２ホルダー２Ｂの筒枠２０は、ロッド部材３（末端ポール３Ｃ）の長手方向に対して略直角となるような角度にして固定される（図８参照）。
【００５３】
尚、図９では、２台のシンチを用い、ロッド部材３の上部側の第２ホルダー２ＢにプローブＰ１が取り付けるのと同時に、ロッド部材３の下端側の第１ホルダー２ＡにプローブＰ２を取り付けることで、高さ１ｃｍと高さ１ｍの同時測定が可能となる。
【００５４】
末端ポール３Ｃの末端部、即ち図８中のロッド部材３の最上端側には、有底筒状の末端キャップ１５が嵌着され、その最上端側には、プローブＰとメータＭとを接続する導電線Ｔを通すための開口部１６が形成されている。
【００５５】
図１６に示すように、上方開口側に揺動自在な取っ手３１を設けた、重量のある、例えば鉛製のコリメータ３０を備え、図１２に示すように、第１ホルダー２Ａに把持されたプローブＰを、任意の傾斜角度でもって挿入可能としている。
【００５６】
このコリメータ３０は、放射線の入射方向を制限し、周辺の放射線による影響を遮断して、測定したい地点での放射線量を計測するものである。
【００５７】
尚、上記したように、円柱状のプローブＰは、コリメータ３０内部への挿入を容易にするために、その先端の放射線入射端面側が長目に突き出るように、その後端側が第１ホルダー２Ａに保持されている。
【００５８】
以下に、上記構成における放射線計測用補助具１の使用方法を、詳細に説明する。
【００５９】
図１０（ａ）に示すように、第１ホルダー２ＡにプローブＰが取り付けられ、ロッド部材３の末端ポール３Ｃ側を計測員Ｒが手に持って鉛直となし、第１ホルダー２ＡのＣリング状の筒枠２０の切れ目２１（図４乃至図７参照）を測定地点Ｑに当接するように設置させる。これにより、プローブＰは、測定地点Ｑの高さ１ｃｍの位置に保持されて計測が行われる。
【００６０】
また、図１１（ａ）に示すように、末端ポール３Ｃの第２ホルダー２ＢにプローブＰが取り付けられ、ロッド部材３の末端ポール３Ｃ側を計測員Ｒが手に持って鉛直となし、第１ホルダー２ＡのＣリング状の筒枠２０の切れ目２１（図４乃至図７参照）を測定地点Ｑに当接するように設置させる。これにより、プローブＰは測定地点Ｑの高さ１ｍの位置に保持されて計測が行われる。
【００６１】
さらに、図１２（ａ）に示すように、放射線の入射方向を制限し、周辺の放射線による影響を遮断して測定地点Ｑの１ｃｍ高さの放射線量を計測する場合には、先端ポール３Ａの第１ホルダー２Ａに把持されているプローブＰの先端側が先端ポール３Ａの長手方向に沿って前方に向くように、任意の傾斜角度にした状態で固定しておき、コリメータ３０に挿入して計測が行われる。
【００６２】
また、図１３に示すように、ロッド部材３は、先端ポール３Ａの先端部側の第１ホルダー２Ａ位置から末端部位置まで略１ｍの長さを有している場合、ロッド部材３を反転させて、末端ポール３Ｃの基端部側を測定地点Ｑに宛がうことで、第１ホルダー２ＡにおけるプローブＰを測定地点Ｑの高さ１ｍの位置に保持されて計測が行われる。
【００６３】
この他、図１４に示すように、上方部（例えば、高さ３ｍの位置）を測定する場合、ロッド部材３を反転させて、計測を行うこともできる。
【００６４】
尚、一々例示はしないが、本考案は、その趣旨を逸脱しない範囲内において、種々の変更が加えられて実施されるものである。
【産業上の利用可能性】
【００６５】
本考案は、異なる高さ位置における放射線の線量を、１つのプローブによって検知することのできるハンディタイプの環境放射線測定装置として、種々の作業現場において、幅広く利用されるものである。
【符号の説明】
【００６６】
Ｐ…プローブ
Ｑ…測定地点
Ｒ…計測員
Ｓ…滑り止め部材
Ｍ…メータ
Ｔ…導電線
Ｈ…把持部
１…放射線計測用補助具
２Ａ…第１ホルダー
２Ｂ…第２ホルダー
３…ロッド部材
３Ａ…先端ポール
３Ｂ…中間ポール
３Ｃ…末端ポール
４Ａ…締付リング
４Ｂ…締付リング
５…先端キャップ
５Ａ…支持片
６…ネジ挿入孔
７…ネジ挿入孔
８…ネジ
９…蝶ナット
１０…ゴムバンド
１１…保持枠
１２…ネジ挿入孔
１３…棒ネジ
１４…蝶ナット
１５…末端キャップ
１６…開口部
２０…筒枠
２１…切れ目
３０…コリメータ
３１…取っ手
【図１】
0003210854.tif 000003
【図２】
0003210854.tif 000004
【図３】
0003210854.tif 000005
【図４】
0003210854.tif 000006
【図５】
0003210854.tif 000007
【図６】
0003210854.tif 000008
【図７】
0003210854.tif 000009
【図８】
0003210854.tif 000010
【図９】
0003210854.tif 000011
【図１０】
0003210854.tif 000012
【図１１】
0003210854.tif 000013
【図１２】
0003210854.tif 000014
【図１３】
0003210854.tif 000015
【図１４】
0003210854.tif 000016
【図１５】
0003210854.tif 000017
【図１６】
0003210854.tif 000018